(57)【要約】【課題】マンホールポンプ場１の水中ポンプ３１により圧送管４を介して圧送された汚水をマンホール場２内に吐出させる吐出部に、絞り部１５により発生した負圧によりマンホール場２内の空気を吸い込んで硫黄化合物を除去する硫黄化合物除去装置１３が設けられた下水圧送システムにおいて、絞り部１５への異物の引っ掛かりによって汚水がマンホール場２へ圧送されなくなるのを未然に防ぎ、汚水の圧送を安定確保する。【解決手段】圧送管４と絞り部１５との間にバイパス管２６を接続する。マンホールポンプ場１の汚水と共にポンプ３１に吸い込まれた異物が絞り部１５に引っ掛かって絞り部１５が閉塞したとしても、圧送管４内の汚水はバイパス管２６を通ってマンホール場２に吐出させる。【選択図】図２
2007255040.tif 000002
【特許請求の範囲】
【請求項１】
ポンプ場の水中ポンプにより圧送管を介して圧送された汚水をマンホール場内に吐出させる吐出部に、汚水の通路面積が他の部分よりも小さくなるように絞られた絞り部を備え、かつ該絞り部により発生した負圧によりマンホール場内の空気を吸い込んで該空気中の硫黄化合物を除去する硫黄化合物除去装置が設けられた下水圧送システムにおいて、
上記圧送管と絞り部との間に、汚水を絞り部をバイパスしてマンホール場内に吐出させるバイパス管が接続されていることを特徴とする下水圧送システム。
【請求項２】
請求項１の下水圧送システムにおいて、
バイパス管の口径は、圧送管の口径又は水中ポンプの口径のいずれか小さい方と同じかそれよりも大きいことを特徴とする下水圧送システム。
【請求項３】
請求項１又は２の下水圧送システムにおいて、
バイパス管は、非閉塞状態にある絞り部により上昇する水位以上の高さに上方に立ち上げられていることを特徴とする下水圧送システム。
【請求項４】
請求項１〜３のいずれか１つの下水圧送システムにおいて、
バイパス管の先端が下向きに開口していることを特徴とする下水圧送システム。
【請求項５】
ポンプ場の水中ポンプにより圧送管を介して圧送された汚水をマンホール場内に吐出させる吐出部に、汚水の通路面積が他の部分よりも小さくなるように絞られた絞り部を備え、かつ該絞り部により発生した負圧によりマンホール場内の空気を吸い込んで該空気中の硫黄化合物を除去する硫黄化合物除去装置が設けられた下水圧送システムにおいて、
上記水中ポンプの吸込口の口径が上記絞り部の口径以下であることを特徴とする下水圧送システム。
【請求項６】
ポンプ場の水中ポンプにより圧送管を介して圧送された汚水をマンホール場内に吐出させる吐出部に、汚水の通路面積が他の部分よりも小さくなるように絞られた絞り部を備え、かつ該絞り部により発生した負圧によりマンホール場内の空気を吸い込んで該空気中の硫黄化合物を除去する硫黄化合物除去装置が設けられた下水圧送システムにおいて、
上記水中ポンプの吐出口の口径が上記絞り部の口径以下であることを特徴とする下水圧送システム。
【発明の詳細な説明】
【技術分野】
【０００１】
本発明は、ポンプ場の汚水を水中ポンプにより圧送管を介してマンホール場内に吐出させる下水圧送システムに関し、特に、汚水通路の絞り部で発生した負圧によりマンホール場内の空気を吸い込んで該空気中の硫黄化合物を除去する硫黄化合物除去装置を設けたものに関する。
【背景技術】
【０００２】
従来より、通路を流れる流体により負圧を発生させ、該負圧により他の流体を吸引して上記駆動流体中に混合させるための負圧発生装置としてジェットポンプが知られている。また、このジェットポンプに類似する装置として、例えば特許文献１に示される気泡発生装置が知られている。この装置は、汚水を脱臭するために用いられるもので、上記負圧発生原理を利用して、下水通路を流れる汚水中に空気を吸引混合させ、該空気を微細気泡化して汚水の脱臭を図るようにしている。具体的には、装置内部の通路に汚水の流速を高速化させるための断面収縮部（ノズルスロート部）を設けて、該収縮部での汚水の高速化により負圧を発生させ、該収縮部に外気への連通路から空気を吸引して上記汚水中に混合させるようにしている。こうして空気が混合された汚水は、上記断面収縮部の下流側に形成された通路断面積増大部（ディフューザ部）においてさらに混合が促進されるとともに減速増圧される。
【特許文献１】特開２００２−２３３８９５号公報
【発明の開示】
【発明が解決しようとする課題】
【０００３】
ところで、ポンプ等によって汚水を圧送する圧送式の下水システムにおいては、圧送管内が嫌気的条件となることによって、汚水がマンホール場等に吐出される際に、硫化水素やメルカプタン（チオール）等の臭気性硫黄化合物が空気中に放出される場合がある。近年、そうした臭気性硫黄化合物による臭気や腐食が問題となっている。
【０００４】
このため、本出願人は、上記負圧発生装置を利用して、マンホール場での硫化水素ガスの発生を完全に阻止するようにした硫黄化合物除去装置を提案している。このものは、ポンプ場の水中ポンプにより圧送管を介して圧送された汚水をマンホール場内に吐出させる吐出部に、汚水の通路面積が他の部分よりも小さくなるように絞られた絞り部（断面収縮部）と、該絞り部により発生した負圧によりマンホール場内の空気を吸い込んで該空気中の硫黄化合物を除去する硫黄化合物除去部とを備えたものである。
【０００５】
しかしながら、上記提案のものでも全く問題がないわけではなく、改良の余地があった。すなわち、汚水をマンホール場内に吐出させる吐出部に通路面積の小さい絞り部が設けられているので、仮に、ポンプ場の汚水中にある異物がポンプに吸い込まれて圧送管に送給されると、その異物が絞り部に引っ掛かって絞り部が閉塞してしまうこととなる。その場合、汚水をマンホール場へ圧送することができなくなってポンプ場が溢水する虞れが生じる。
【０００６】
本発明は斯かる点に鑑みてなされたもので、その目的は、マンホール場の汚水吐出部に絞り部が設けられている下水圧送システムにおける汚水通路に工夫を加えることにより、絞り部への異物の引っ掛かりによって汚水がマンホール場へ圧送されなくなるのを未然に防いで、汚水の圧送を安定して確保できるようにすることにある。
【課題を解決するための手段】
【０００７】
上記の目的を達成するために、この発明では、絞り部を迂回するバイパス管を設けるか、或いは絞り部を通過可能な異物のみを圧送管に供給するようにした。
【０００８】
具体的には、請求項１の発明では、ポンプ場の水中ポンプにより圧送管を介して圧送された汚水をマンホール場内に吐出させる吐出部に、汚水の通路面積が他の部分よりも小さくなるように絞られた絞り部を備え、かつ該絞り部により発生した負圧によりマンホール場内の空気を吸い込んで該空気中の硫黄化合物を除去する硫黄化合物除去装置が設けられた下水圧送システムを前提とする。そして、上記圧送管と絞り部との間に、汚水を絞り部をバイパスしてマンホール場内に吐出させるバイパス管が接続されていることを特徴とする。
【０００９】
この発明の構成によると、絞り部に異物が引っ掛からない通常状態では、水中ポンプの運転によりポンプ場の汚水が圧送管を介してマンホール場に圧送され、その圧送管の吐出部からマンホール場内に吐出される。また、吐出部に設けられている硫黄化合物除去装置の絞り部により負圧が発生し、この負圧によりマンホール場内の空気が吸い込まれて該空気中の硫黄化合物が除去される。
【００１０】
そして、圧送管と絞り部との間にバイパス管が接続されているので、ポンプ場の異物が汚水と共にポンプに吸い込まれて圧送管に送給され、絞り部に引っ掛かって絞り部が閉塞したとしても、圧送管内の汚水はバイパス管を通ってマンホール場に吐出される。従って、その場合、上記硫黄化合物除去装置による空気中の硫黄化合物の除去性能は得られなくなるものの、ポンプ場からマンホール場への汚水の圧送は確保され、ポンプ場の溢水を未然に防止することができる。
【００１１】
請求項２の発明では、上記バイパス管の口径は、圧送管の口径又は水中ポンプの口径のいずれか小さい方と同じかそれよりも大とする。
【００１２】
このことで、水中ポンプに吸い込まれた異物又は圧送管を送給されてきた異物がバイパス管に引っ掛かることはなく、バイパス管の閉塞を防いで、そのバイパス管の機能を安定して確実に維持することができる。
【００１３】
請求項３の発明では、バイパス管は、非閉塞状態にある絞り部により上昇する水位（圧力ヘッド）以上の高さに上方に立ち上げられているものとする。
【００１４】
こうすれば、絞り部が異物により閉塞されない状態にあるときに汚水がバイパス管からオーバーフローして吐出されることはなく、硫黄化合物除去装置の絞り部により負圧を発生させて硫黄化合物の除去性能が安定して得られる。
【００１５】
請求項４の発明では、バイパス管の先端は下向きに開口しているものとする。
【００１６】
このことで、バイパス管から吐出される汚水が周辺に撒き散らされるのを防止することができる。
【００１７】
請求項５の発明では、上記請求項１の前提とする下水圧送システムにおいて、水中ポンプの吸込口の口径が絞り部の口径以下であることを特徴とする。
【００１８】
この発明の構成によると、絞り部に引っ掛かる異物は吸込口からポンプに吸い込まれず、換言すれば、一旦ポンプに吸い込まれた異物は絞り部を確実に通過することとなる。このことで、異物が引っ掛かって絞り部が閉塞されること自体を防いで、ポンプ場からマンホール場への汚水の圧送を安定して確保し、ポンプ場の溢水を未然に防止することができる。しかも、ポンプ吸込口の口径のみを設定すればよいので、簡単でかつ安価に実現できる。
【００１９】
また、絞り部を汚水が通過するので、硫黄化合物除去装置による空気中の硫黄化合物の除去性能も確保することができる。
【００２０】
請求項６の発明では、上記請求項１の前提とする下水圧送システムにおいて、水中ポンプの吐出口の口径が絞り部の口径以下であることを特徴とする。
【００２１】
この発明の構成によると、絞り部に引っ掛かる異物はポンプの吐出口から吐出されず、換言すれば、一旦ポンプから吐出された異物は絞り部を確実に通過することとなる。このことで、異物が絞り部に引っ掛かって絞り部が閉塞されること自体を防いで、ポンプ場からマンホール場への汚水の圧送を安定して確保し、ポンプ場の溢水を未然に防止することができる。しかも、ポンプ吸込口の口径のみを設定すればよいので、簡単でかつ安価に実現できる。
【００２２】
また、絞り部を汚水が通過するので、硫黄化合物除去装置による空気中の硫黄化合物の除去性能も確保することができる。
【発明の効果】
【００２３】
以上説明したように、請求項１の発明によると、ポンプ場の水中ポンプにより圧送管を介して圧送された汚水をマンホール場内に吐出させる吐出部に、絞り部により発生した負圧によりマンホール場内の空気を吸い込んで硫黄化合物を除去する硫黄化合物除去装置が設けられた下水圧送システムにおいて、圧送管と絞り部との間にバイパス管を接続したことにより、ポンプ場の汚水と共にポンプに吸い込まれた異物が引っ掛かって絞り部が閉塞したとしても、圧送管内の汚水をバイパス管を通ってマンホール場に吐出させることができ、ポンプ場からマンホール場への汚水の圧送を確保してポンプ場の溢水防止を図ることができる。
【００２４】
請求項２の発明によると、バイパス管の口径を圧送管の口径又は水中ポンプの口径のいずれか小さい方と同じかそれよりも大としたことにより、異物によるバイパス管の閉塞を防いで、その機能を安定して確実に維持することができる。
【００２５】
請求項３の発明によると、バイパス管を非閉塞状態にある絞り部により上昇する水位以上の高さに立ち上げたことにより、通常の状態で汚水がバイパス管からオーバーフローするのを防いで、硫黄化合物除去装置による硫黄化合物の除去性能を安定して得ることができる。
【００２６】
請求項４の発明によると、バイパス管の先端を下向きに開口させたことにより、バイパス管からの吐出汚水の周辺への撒き散らしを防止することができる。
【００２７】
請求項５の発明では、請求項１の発明の前提と同様の下水圧送システムにおいて、水中ポンプの吸込口の口径を絞り部の口径以下とした。また、請求項６の発明では、請求項１の発明の前提と同様の下水圧送システムにおいて、水中ポンプの吐出口の口径を絞り部の口径以下とした。これらの発明によると、異物が引っ掛かって絞り部が閉塞されること自体を防ぐことができ、硫黄化合物除去装置による空気中の硫黄化合物の除去性能も確保しつつ、簡単でかつ安価に、ポンプ場からマンホール場への汚水の圧送を確保してポンプ場の溢水防止を図ることができる。
【発明を実施するための最良の形態】
【００２８】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００２９】
（実施形態１）
図１は本発明の実施形態１に係る下水圧送システムＡを概略的に示し、１は汚水が貯留されるマンホールポンプ場であって、このマンホールポンプ場１にはその内部の汚水を吸い込んで吐出する２つの水中ポンプ３１，３１が設置されている。これら水中ポンプ３１，３１は互いに同じもので、一方が運転状態にあるときに他方が運転停止状態になるように切換運転される。
【００３０】
２は汚水を圧送する圧送先のマンホール場であり、このマンホール場２と上記マンホールポンプ場１との間の地中には、水中ポンプ３１から吐出された汚水をマンホール場２に圧送するための圧送管４が埋設されている。６は水中ポンプ３１から吐出された汚水を圧送管４に供給するための吐出管、７は各吐出管６の途中に接続された開閉バルブである。８は上記マンホールポンプ場１よりも上流側のマンホールポンプ場（図示せず）から汚水が圧送される上流側圧送管、９は上記マンホール場２から下流に汚水を流す自然流下管である。
【００３１】
上記圧送先マンホール場２内には圧送管４の下流端部が突出し、この下流端部に吐出部が開口しており、この吐出部に対して臭気性硫黄化合物除去装置１３が取り付けられている。
【００３２】
図２に拡大して示すように、上記臭気性硫黄化合物除去装置１３は、既設の圧送管４に対して後付け可能なエゼクタ装置１４（負圧発生装置）を有し、このエゼクタ装置１４によるエゼクタ効果によって圧送先マンホール場２内の空気を吸気管１７を介して吸引して微細気泡として汚水に混入させる。
【００３３】
すなわち、上記エゼクタ装置１４は、圧送管４の吐出口内に液密状に内挿される管状の装置であり、マンホール場２に接続された上記自然流下管９に対し同軸となるように配設されている。これによって遮集能力の低下を防止している。
【００３４】
上記エゼクタ装置１４の内部には、その圧送管４側の上流端部に、口径φＮ（通路断面積）が圧送管４の口径φＳよりも縮小された絞り部１５（縮径通路）が形成されている。
【００３５】
上記吸気管１７は、上記エゼクタ装置１４の上方にそれと略平行の水平方向に配置されるもので、そのエゼクタ装置１４における絞り部１５の直下流側の上部にエゼクタ装置１４の開口１６を介して連通するように接続された下流側吸気管１８を有する。この下流側吸気管１８はエゼクタ装置１４から上方に延びた後に水平方向に屈曲しており、その先端部に、マンホール場２の空気中の臭気性硫黄化合物（硫化水素やチオール）を除去するための硫黄化合物除去部２１が着脱可能に取付固定されている。
【００３６】
また、上記エゼクタ装置１４の上部には、硫黄化合物除去部２１を着脱可能に固定するためのケースブラケット２０が設けられている。そして、図示しないが、上記エゼクタ装置１４には、その両側外方に延びる取付ブラケット設けられており、この取付ブラケットを介してエゼクタ装置１４がマンホール場２の内周壁面に固定されるようになっている。
【００３７】
上記硫黄化合物除去部２１は、上記吸気管１７の一部を構成する円筒状の収容ケース２２を有し、この収容ケース２２内には、空気と接触することによってその空気中の臭気性硫黄化合物を除去する除去剤２３が充填されている。収容ケース２２の一端には、上記下流側吸気管１８の先端部に気密状に取り付けられる取付部２２ａが、また他端には上流側吸気管部２２ｂがそれぞれ一体に突設されている。上記除去剤２３としては種々のものを採用することが可能であるが、例えば再生可能な吸着剤とすれば、再生処理を施すことによって繰り返し使用することができ、環境負荷の点で有利である。
【００３８】
また、上記収容ケース２２の取付部２２ａと下流側吸気管１８の先端部との間の接続には、例えばワンタッチ継ぎ手等のコネクタを採用してもよく、そうすることによって、硫黄化合物除去部２１（収容ケース２２）をエゼクタ装置１４に対し容易に着脱可能になる。
【００３９】
上記収容ケース２２の上流側吸気管部２２ｂは、収容ケース２２の他端から水平方向に延びた後、その先端部が下方に屈曲しており、この上流側吸気管部２２ｂの開口は、汚水の吐出口（エゼクタ装置１４の開口）の近傍に位置する空気取入口２４となっている。
【００４０】
そして、本発明の特徴として、上記圧送管４の下流端部には、上記臭気性硫黄化合物除去装置１３の絞り部１５との間にバイパス管２６が分岐接続されている。このバイパス管２６は、圧送管４を圧送された汚水を絞り部１５をバイパスしてマンホール場２内に吐出させるためのもので、圧送管４の上部から上方に直線状に立ち上げられた管体からなり、その内部は圧送管４の開口５を介して圧送管４内と連通している。バイパス管２６の口径φＢは、圧送管４の口径φＳ又は水中ポンプ３１の口径（ここでは水中ポンプ３１の吸込口３３の口径φＰin又は吐出口３４の口径φＰoutのうちの小さい方。実施形態２参照）のいずれか小さい方と同じかそれよりも大とされている。すなわち、バイパス管２６の口径φＢは、水中ポンプ３１の口径が圧送管４の口径φＳよりも大きいときには圧送管４の口径φＳ以上とされ、逆に水中ポンプ３１の口径が圧送管４の口径φＳよりも小さいときには水中ポンプ３１の口径以上とされている。
【００４１】
また、バイパス管２６の高さｈは、上記絞り部１５が非閉塞状態にある場合に水中ポンプ３１から圧送されて汚水が絞り部１５により絞られて上昇する水位ＷＨ（圧力ヘッド）以上の高さに設定され、そのバイパス管２６の先端部（上端部）は下向きに湾曲していて、その先端が下向きに開口している。
【００４２】
この実施形態１の構成によると、通常の運転状態では、マンホールポンプ場１の汚水は水中ポンプ３１により吸い込まれて圧送管４内に吐出され、この圧送管４を経て圧送先マンホール場２内に圧送される。そのとき、圧送管４内において嫌気化した汚水はエゼクタ装置１４を通過して圧送先マンホール場２内に流入する。上記エゼクタ装置１４においては、絞り部１５によって汚水の流速が増大しかつ静圧が低下することに伴い、圧送先マンホール場２内の空気が吸気管１７から吸引される。吸引された空気は、エゼクタ装置１４内において微細気泡として汚水に混合され、汚水と共にマンホール場２内に吐出される。これによって圧送管４内において嫌気化した汚水を好気化することができ、マンホール場２内で、空気中に臭気性イオウ化合物が放出されることが防止される。
【００４３】
また、上記エゼクタ装置１４によって空気が吸引される際に、その空気はイオウ化合物除去部２１の収容ケース２２内を通過し、空気が除去剤２３と接触することによって、空気中の臭気性イオウ化合物が除去される。
【００４４】
そして、上記マンホールポンプ場１の汚水中にある異物が汚水と共に水中ポンプ３１により吸い込まれて圧送管４を介して圧送先マンホール場２内に送られた場合、エゼクタ装置１４の絞り部１５の通路断面積は他の部分よりも小さいので、その絞り部１５に異物が引っ掛かると、絞り部１５が異物によって閉塞されてしまい、圧送管４から圧送先マンホール場２内への汚水の圧送ができなくなり、マンホールポンプ場１が溢水しようとする。
【００４５】
しかし、この実施形態では、圧送管４の下流端部で上記絞り部１５との間にバイパス管２６が接続されているので、異物が引っ掛かって絞り部１５が閉塞した異常状態になったとしても、圧送管４内の汚水はバイパス管２６を通って圧送先マンホール場２に吐出される。すなわち、絞り部１５の閉塞に伴い、硫黄化合物除去装置１３による空気中の硫黄化合物の除去性能は得られなくなるものの、マンホールポンプ場１からマンホール場２への汚水の圧送は確保されることとなり、マンホールポンプ場１が溢水することはない。尚、このバイパス管２６から汚水が圧送先マンホール場２に吐出されていれば、絞り部１５が異物によって閉塞している状態にあると判断できるので、例えば、その異物を除去する処理を行えばよい。
【００４６】
そして、上記バイパス管２６の口径φＢが、圧送管４の口径φＳ又は水中ポンプ３１の口径のいずれか小さい方以上であるので、上記絞り部１５が閉塞されてバイパス管２６から汚水が吐出している状態で、水中ポンプ３１に吸い込まれた異物又は圧送管４を送給されてきた異物がバイパス管２６に引っ掛かってバイパス管２６そのものが閉塞することはなくなる。従って、そのバイパス管２６の機能を安定して確実に維持することができ、マンホールポンプ場１からマンホール場２への汚水の圧送を安定確保して、マンホールポンプ場１の溢水を確実に回避するすることができる。
【００４７】
また、バイパス管２６は、非閉塞状態にある絞り部１５により上昇する水位ＷＨ（圧力ヘッド）以上の高さｈに上方に立ち上げられているので、絞り部１５が異物により閉塞されない上記通常の運転状態にあるときに、汚水がバイパス管２６からオーバーフローして吐出されることはない。つまり、汚水の圧送エネルギーの全てを硫黄化合物除去装置１３の絞り部１５に作用させることができ、そのエゼクタ機能による負圧を確実に発生させて硫黄化合物の除去性能を安定して得ることができる。
【００４８】
さらに、バイパス管２６の先端が下向きに開口しているので、バイパス管２６から汚水が吐出されたとしても、その汚水が周辺に撒き散らされるのを防止することができる。
【００４９】
尚、この実施形態１において、バイパス管２６は圧送管４から上方に立ち上げられたものに限定されず、例えば一旦水平横方向や下方向等に向かった後に湾曲して上方に立ち上げられたものとすることもできる。
【００５０】
（実施形態２）
図３及び図４は本発明の実施形態２を示し（尚、図１及び図２と同じ部分については同じ符号を付してその詳細な説明は省略する）、上記実施形態１のようにバイパス管２６を設けるのに代え、水中ポンプ３１の口径を絞り部１５の口径と関係付けることで、異物の引っ掛かりによる絞り部１５の閉塞そのものを防止するようにしたものである。
【００５１】
すなわち、この実施形態では、上記実施形態１と同様に、圧送先マンホール場２内には、圧送管４の吐出部が開口し、その吐出部に対して臭気性硫黄化合物除去装置１３が取り付けられている。また、実施形態１とは異なり、上記圧送管４の下流端部にバイパス管２６が接続されていない。
【００５２】
そして、マンホールポンプ場１に設置されている２つの水中ポンプ３１，３１の各々は、図４に拡大して示すように、下部に吸込口３３が開口されかつ側部に吐出口３４が開口されたポンプハウジング３２と、このポンプハウジング３２内に配置された羽根車３５（ポンプインペラ）とを備えた遠心ポンプからなり、ポンプハウジング３２の吐出口３４には吐出管６の上流端（下端）が接続されている。この吐出管６は水平方向に延びた後に上方に折れ曲がり、その下流端（上端）は圧送管４に接続されている。
【００５３】
ポンプハウジング３２の上面には、上下方向に延びかつモータハウジング３８から下方に突出する出力軸３９を有する電動モータ３７が一体的に取付固定され、このモータ３７の出力軸３９はポンプハウジング３２の上壁部を液密状に貫通してポンプハウジング３２内部に延び、その下端部に羽根車３５が回転一体に固定されており、モータ３７の運転により羽根車３５を回転駆動することにより、ポンプハウジング３２内に吸込口３３から汚水を吸い込んだ後、吐出口３４から吐出させて吐出管６を介して圧送管４に送給するようになっている。
【００５４】
本発明の特徴として、上記各水中ポンプ３１のポンプハウジング３２下部に開口されている吸込口３３の口径φＰinは、上記臭気性硫黄化合物除去装置１３における絞り部１５の口径φＮ以下とされている（φＰin≦φＮ）。その他の構成は上記実施形態１と同じである。
【００５５】
したがって、この実施形態においては、上記実施形態１と同様に、マンホールポンプ場１の汚水が各水中ポンプ３１により吸い込まれて圧送管４内に吐出され、この圧送管４を経て圧送先マンホール場２内に圧送され、この圧送管４内において嫌気化した汚水がエゼクタ装置１４を通過して圧送先マンホール場２内に流入する。
【００５６】
そのとき、各水中ポンプ３１のポンプハウジング３２下部に開口されている吸込口３３の口径φＰinが硫黄化合物除去装置１３における絞り部１５の口径φＮ以下であるので、この水中ポンプ３１の吸込口３３からポンプハウジング３２内に異物が吸い込まれたとしても、その吸い込まれる異物は、硫黄化合物除去装置１３における絞り部１５の口径φＮ以下のものだけとなり、絞り部１５の口径φＮよりも大きくて絞り部１５に引っ掛かる異物はポンプ３１自体に吸い込まれないこととなる。このため、吸い込まれた異物が圧送管４に送給されたとしても、その異物は絞り部１５を確実に通過することとなり、異物が引っ掛かって絞り部１５が閉塞されること自体を防ぐことができる。それ結果、マンホールポンプ場１からマンホール場２への汚水の圧送を安定して確保し、マンホールポンプ場１の溢水を未然に防止することができる。
【００５７】
しかも、この実施形態の場合、絞り部１５が異物によって閉塞されず、ポンプ３１の運転中は常に絞り部１５を汚水が通過するので、エゼクタ装置１４による負圧の発生を確保して、硫黄化合物除去装置１３による空気中の硫黄化合物の除去性能が維持される。また、上記実施形態１のようにバイパス管２６を設けるのに比較して、ポンプ吸込口３３の口径φＰinのみを設定すればよいので、マンホールポンプ場１からマンホール場２への汚水圧送の安定確保を簡単でかつ安価に実現することができる。
【００５８】
尚、この実施形態２では、各水中ポンプ３１におけるポンプハウジング３２の吸込口３３の口径φＰinを臭気性硫黄化合物除去装置１３における絞り部１５の口径φＮ以下としているが（φＰin≦φＮ）、これに代え、各水中ポンプ３１におけるポンプハウジング３２の側部に開口されている吐出口３４の口径φＰoutを臭気性硫黄化合物除去装置１３における絞り部１５の口径φＮ以下としてもよい（φＰout≦φＮ）。
【００５９】
こうすれば、水中ポンプ３１の吸込口３３からポンプハウジング３２内に異物が吸い込まれて吐出口３４から吐出されたとしても、その吐出される異物は、硫黄化合物除去装置１３における絞り部１５の口径φＮ以下のものだけとなり、絞り部１５の口径φＮよりも大きくて絞り部１５に引っ掛かる異物はポンプ３１自体から吐出されないこととなる。このため、異物が圧送管４に送給されたとしても、その異物は絞り部１５を確実に通過することとなり、異物が引っ掛かって絞り部１５が閉塞されること自体を防ぐことができる。よって、この場合も実施形態２と同様の作用効果が得られる。
【００６０】
また、ポンプ３１の吐出口３４により異物を絞り部１５に通過可能となるようにフィルタリングしているので、実施形態２のように吸込口３３で異物をフィルタリングする場合と異なり、大きな異物がポンプハウジング３２内に吸い込まれると、その異物が引っ掛かって吐出口３４が閉塞され、ポンプ３１の運転停止に陥る可能性が生じる。しかし、水中ポンプ３１は２つあり、互いに切り換えられて運転されるので、運転中のポンプ３１が吐出口３４の閉塞によって運転停止に陥った緊急時には、停止中の水中ポンプ３１を運転させることで、送水を確保することができ、差し障りは生じない。
【産業上の利用可能性】
【００６１】
本発明は、ポンプ場から汚水をマンホール場に圧送して、マンホール場内において硫黄化合物除去装置より空気中の臭気性イオウ化合物の除去を行う場合に、その硫黄化合物除去装置の絞り部への異物の引っ掛かりによって汚水がマンホール場へ圧送されなくなるのを防ぎ、汚水の圧送を確保できるので、極めて有用で産業上の利用可能性が高い。
【図面の簡単な説明】
【００６２】
【図１】図１は、本発明の実施形態１に係る下水圧送システムの全体構成を示す図である。
【図２】図２は、下水圧送システムの要部拡大断面図である。
【図３】図３は、本発明の実施形態２を示す図１相当図である。
【図４】図４は、水中ポンプの拡大図である。
【符号の説明】
【００６３】
Ａ  下水圧送システム
ＷＬ  水位（圧力ヘッド）
１  マンホールポンプ場
２  圧送先マンホール場
４  圧送管
φＳ  口径
１３  臭気性硫黄化合物除去装置
１４  エゼクタ装置
１５  絞り部
φＮ  口径
２１  硫黄化合物除去部
２６  バイパス管
φＢ  口径
ｈ  高さ
３１  水中ポンプ
３２  ポンプハウジング
３３  吸込口
φＰin  口径
３４  吐出口
φＰout  口径
【図１】
2007255040.tif 000003
【図２】
2007255040.tif 000004
【図３】
2007255040.tif 000005
【図４】
2007255040.tif 000006